(57)【要約】【課題】木製ブロックの反りや浮き上がりを生ずることのない木製ブロック接着パネルを提供する。【解決手段】定寸の矩形状基材１２に、厚み寸法および横寸法は任意で、縦寸法は一定に設定した直方体のブロック１４を、方向を揃えて多数が配列するよう接着したパネル１０であって、このパネル１０における横方向の一辺側に配置されるブロックを一辺側から僅かに後退させると共に、横方向の他辺側に配置されるブロックを他辺側から僅かに延出させる。これにより２枚の前記パネル１０を建物壁面に上下または左右の関係で、一方のパネル１０の前記横方向の一辺を他方のパネル１０の前記横方向の他辺に密着させて貼り合わせると、前記後退している側のブロック１４と延出している側のブロックとの間に、膨張しても相互に干渉することのない間隙が確保される。【選択図】図１
2011256560.tif 000002
【特許請求の範囲】
【請求項１】
定寸の矩形状基材(12)に、厚み寸法および横寸法は任意で、縦寸法は一定に設定した直方体のブロック(14)を、方向を揃えて多数が配列するよう接着してなるパネル(10)であって、
前記パネル(10)における横方向の一辺側に配置される前記ブロック(14)は、前記一辺側から僅かに後退させると共に、該パネル(10)の横方向の他辺側に配置される前記ブロック(14)は、他辺側から僅かに延出させ、
これにより２枚の前記パネル(10)を建物壁面に上下または左右の関係で、一方のパネル(10)の前記横方向の一辺を他方のパネル(10)の前記横方向の他辺に密着させて貼り合わせると、前記後退している側のブロック(14)と延出している側のブロック(14)との間に、各ブロック(14)が膨張してもこれらが相互に干渉することのない間隙ｄ４が確保されている
ことを特徴とする木製ブロック接着パネル。
【請求項２】
前記パネル(10)の一辺側からブロック(14)を後退させる後退寸法ｄ３は、ブロック(14)の縦寸法より小さく設定され、前記パネル(10)の他辺側からブロック(14)を延出させる延出寸法ｄ２は、該ブロック(14)の後退寸法ｄ３より小さく設定される請求項１記載の木製ブロック接着パネル。
【請求項３】
前記各ブロック(14)は、前記パネル(10)において隣り合うブロック(14)との間に膨張しても相互に緩衝することのない間隙ｄ１を設けて前記基材(12)に接着されている請求項１または２記載の木製ブロック接着パネル。
【請求項４】
前記２枚のパネル(10)を貼り合わせる際に、前記後退している側のブロック(14)および延出している側のブロック(14)の間に確保される間隙ｄ４と、前記パネル(10)において縦方向に隣り合うブロック(14)間に設けられる間隙ｄ１とが等しく設定される請求項３記載の木製ブロック接着パネル。
【発明の詳細な説明】
【技術分野】
【０００１】
この発明は、家屋等の建築物の壁面に貼り付けて内装や外装を向上させる木製パネルに関する。
【背景技術】
【０００２】
木材は、調湿作用・保温作用があって外観も美しいため、建築物の壁面等に貼り付ける装飾材として広く使用されている。例えば、適当な大きさにカットした木製ブロックを、モザイクタイル状に壁面に接着する工法が知られている。また、個々の木製ブロックを壁面に直接固定するのでなく、予め複数の木製ブロックをパネルに接着させておき、このパネルを壁面に取り付ける工法も知られている。後者のパネルによる工法は、壁面に木製ブロックを個々に貼り付ける場合に比べて、施工が遥かに容易となる利点がある。
【先行技術文献】
【特許文献】
【０００３】
【特許文献１】実開平６−３０３２４号公報
【発明の概要】
【発明が解決しようとする課題】
【０００４】
ところで木材は、周囲の温度や湿度の変化に起因して伸縮する性質を有している。このため、前記の木製ブロックを壁面に個々に貼り付け施工する場合、木製ブロックが膨張すると、隣接し合う各木製ブロックが互いに干渉し、木製ブロックが反ったり、浮き上がったりしてしまう畏れがある。そこで隣り合う木製ブロックに間隙を設けることで、前記木製ブロックの反りや浮きを防止する手法が採られている。しかし、沢山の木製ブロックを壁面に施工して行く際に、前記間隙を適切に設けるのは手間が掛かり、また施工者の熟練を要する。しかも、前記間隙が整列せず不揃いであると、建築物の壁面に外観不良を呈する問題がある。また、複数の木製ブロックを予め基材に接着させたパネルを、壁面に順次貼り付けて行く場合であっても、パネル同士が接合する部位では前記間隙を設ける配慮をしなくてはならず、施工効率が低下する。この場合に、各パネルにおける木製ブロックの間隙から基材の継目が覗くと、該パネルの境界が顕になり壁面の仕上り感が損なわれる欠点もある。
【０００５】
そこで本発明は、従来技術に内在している前記問題に鑑み、これらを好適に解決するべく提案されたものであって、木製ブロックの反りや浮き上がりを生ずることのない木製ブロックの接着パネルを提供することを目的とする。
【課題を解決するための手段】
【０００６】
前記課題を克服し、所期の目的を達成するため、本願請求項１に係る発明の木製ブロック接着パネルは、
定寸の矩形状基材に、厚み寸法および横寸法は任意で、縦寸法は一定に設定した直方体のブロックを、方向を揃えて多数が配列するよう接着してなるパネルであって、
前記パネルにおける横方向の一辺側に配置される前記ブロックは、前記一辺側から僅かに後退させると共に、該パネルの横方向の他辺側に配置される前記ブロックは、他辺側から僅かに延出させ、
これにより２枚の前記パネルを建物壁面に上下または左右の関係で、一方のパネルの前記横方向の一辺を他方のパネルの前記横方向の他辺に密着させて貼り合わせると、前記後退している側のブロックと延出している側のブロックとの間に、各ブロックが膨張してもこれらが相互に干渉することのない間隙ｄ４が確保されていることを特徴とする。
【０００７】
請求項１に係る発明によれば、パネルを施工する際にパネル同士を密着して貼り合わせることができ、パネル同士の間隙を設ける配慮が不要であり、施工容易となる。また、パネル同士の接合部位のブロックには間隙が確保されているため、木製ブロックが膨張しても相互に干渉し難い。更にパネル同士の境界において、基材の継目はブロックに覆われて、外部から視認し得ないため見栄えも良い。
【発明の効果】
【０００８】
本発明に係る木製ブロック接着パネルによれば、木製ブロックの反りや浮き上がりを生ずることがなく、仕上りの見栄えも良好で、施工が容易になる効果が得られる。
【図面の簡単な説明】
【０００９】
【図１】実施例に係るパネルの斜視図である。
【図２】図１のＩＩ−ＩＩ線断面図である。
【図３】パネルを上下方向に接合する状態を説明する斜視図である。
【図４】図３の接合部位を拡大した概略側面図である。
【図５】別実施例のパネルを左右方向に接合する状態を表す正面図である。
【発明を実施するための形態】
【００１０】
本発明に係る木製ブロック接着パネル１０につき、好適な実施例を挙げて、添付図面を参照しながら以下説明する。パネル１０の方向については、図１において(１)基材１２の厚み方向に相当する方向を「厚み方向」と云い、(２)パネル１０でブロック１４が基材１２から延出および後退して配列されている方向を「横方向」と云い、(３)パネル１０でブロック１４の端部が基材１２の端部と揃えて配列される方向を「縦方向」と云う。ブロック１４および基材１２の方向は、ブロック１４が基材１２に配列されている状態を基準として、パネル１０と同様に方向を指称する。ここで、ブロック１４が相互に干渉するとは、温度や湿度の影響によって木製のブロック１４が水分を吸収して膨張し、隣り合う各ブロック１４が互いに接触するに至る状態をいう。
【００１１】
図１および図２に示すように、パネル１０は、基材１２と、この基材１２に接着された複数の木製ブロック１４とから構成される。基材１２は、一定寸法の矩形状の板材であり、実施例では厚さ４ｍｍのラワン合板が用いられている。ブロック１４は、ブロック１４における前記厚み寸法および横寸法は任意で、かつ縦寸法は一定に設定された直方体である。ここで、(１)厚み寸法とは厚み方向の辺の長さを云い、(２)横寸法とは横方向の辺の長さを云い、(３)縦寸法とは縦方向の辺の長さを云う。各ブロック１４の厚み寸法は、最小の厚み寸法の倍数となっており、４ｍｍ、８ｍｍおよび１２ｍｍの３種類を採用する。全てのブロック１４の縦寸法は、３４ｍｍに統一されている。各ブロック１４の横寸法は、前記厚み寸法および縦寸法より長く設定され、５０ｍｍから３００ｍｍとなっている。なお、ブロック１４の素材は、製材工程で出される端材や間伐材が好適に用いられるが、これに限られるものではない。
【００１２】
各ブロック１４の厚み寸法が一定でなく、各ブロック１４の厚み寸法に差を設けたことで、壁に施工されたパネル１０に光が当たると陰影を生じ、奥行のある印象を与えることができる。また、横寸法に幅を持たせることで、ブロックとなる端材が多様なサイズであっても有効に活用することができる。更に、ブロック１４の素材としてオークやウォールナット等の無垢材を使用することで、木本来の質感や風合いがより強調される利点があり、端材や間伐材を用いることで、コストの削減および環境保護につながる利点がある。オーク、ウォールナット等の無垢材とすることが好ましいが、端材をフィンガージョイントで継ぎ合せたり、層状に重ねたりする集成材であっても良いことは勿論である。
【００１３】
パネル１０は、厚み方向、縦方向および横方向を揃えた複数のブロック１４が、基材１２に配列されている。パネル１０において横方向に隣り合う互いのブロック１４は、対向する縦方向の面を密着させて、横方向に整列するように並べられている。またパネル１０において縦方向に隣り合う互いのブロック１４は、ブロック１４の横方向の面を対向させて、例えば１ｍｍの間隔ｄ１を設けて配列されている。厚み寸法および横寸法の異なるブロック１４の並べ方は任意であるが、横方向に隣り合うブロック１４が互いに異なる厚み寸法となり、ブロック１４同士の接合部位が縦方向に整列しないように並べられている。各ブロック１４は、適宜の接着剤で基材１２に接着される。
【００１４】
パネル１０において、縦方向に隣り合うブロック１４に間隙ｄ１を設けることで、パネル１０における各ブロック１４相互の干渉を防止することができる。間隙ｄ１は1ｍｍに限られず、ブロックが相互に干渉しない状態であればよい。
【００１５】
パネル１０の横方向の一辺側に配列されるブロック１４は、前記一辺側から僅かに後退すると共に、パネル１０の横方向の他辺側に配列されるブロック１４は、前記他辺側から僅かに延出して配列される。つまりブロック１４が後退している側では、パネル１０の端部は基材１２となり、ブロック１４が延出する側ではパネル１０の端部はブロック１４となる。ブロック１４が後退している後退寸法ｄ３は、例えば６ｍｍ、ブロック１４が延出している延出寸法ｄ２は、例えば５ｍｍに設定してある。また、ブロック１４の延出寸法ｄ２は、ブロック１４の縦寸法より小さく設定し、ブロック１４の後退寸法ｄ３は、該ブロック１４の延出寸法ｄ２より大きく設定してある。そして、後退寸法ｄ３と延出寸法ｄ２との寸法差が、前記パネル１０におけるブロック１４の縦方向に設けられる間隙ｄ１と等しい１ｍｍになっている。
【００１６】
次に、２枚のパネル１０を縦方向に接合する手順について、図３および図４を参照して説明する。図３に示すように、ブロック１４が後退する横方向の一辺がパネル１０の上辺となり、ブロック１４が延出する横方向の一辺がパネル１０の下辺となるように、２枚のパネル１０を上下に配置する。次いで、下側パネル１０の上辺となっているブロック１４が後退する横方向の一辺と、上側パネル１０の下辺となっているブロック１４が延出する横方向の一辺とを対向させて、上側パネルを下側パネルに接近させる。図４(ｂ)に示すように、２枚のパネル１０は、基材１２同士を密着して接合され、接合部位におけるブロック１４には間隙ｄ４が確保される。上側パネル１０の延出しているブロック１４が延出寸法ｄ２分だけ、下側パネル１０の基材１２上に延出される。つまり、上側パネルの延出するブロック１４と、下側パネルの後退するブロック１４との間には、前記後退寸法ｄ３と前記延出寸法ｄ２との寸法差に相当する間隙ｄ４が設けられる。実施例では、後退寸法ｄ３を６ｍｍ、延出寸法ｄ２を５ｍｍに設定してあり、間隙ｄ４は１ｍｍとなっている。
【００１７】
前記間隙ｄ４により、パネル１０の接合部位におけるブロック１４が膨張しても、ブロック１４同士が接触してブロック１４が反ったり、ブロック１４が基材１２から浮き上がったりする不都合を抑制できる。そして、互いの基材１２を密着させてパネル１０を接合させることができ、パネル同士に間隙を設ける必要がないため施工が容易となる。また基材１２の継目は、延出されたブロック１４で覆われるため、基材１２の継目が間隙ｄ４から覗くことがない。このため、パネルの継目が外部から視認されず、壁の仕上り感を損なうことなくパネル１０を施工できる。更に、各パネル１０における前記間隙ｄ１と、パネル１０接合部位における前記間隙ｄ４とが等しく設定されているため、縦方向に隣り合うブロック１４の全ての間隙ｄ１,ｄ４が一定となり、見栄えが良い。
【００１８】
実施例では、ブロック１４を後退させた横方向の辺がパネル１０の上辺になり、ブロック１４を延出させた横方向の辺がパネル１０の下辺になるようにパネル１０を配置して、２枚のパネル１０を上下に接合させた。しかし、一方のパネル１０におけるブロック１４が後退する横方向の一辺と、他方のパネル１０におけるブロック１４が延出する横方向の一辺とを密着させて貼り合わせて、両パネル１０のブロック１４の間に間隙ｄ４が確保されていれば良いので、例えばパネル１０を９０度回転させて、左右方向に接合するようにしても良い。また、実施例では、２枚のパネル１０を接合させているが、同様の手順で３枚以上のパネル１０を接合することができる。
【００１９】
次に、パネル１０を壁面に固定する手順について説明する。パネル１０は、接着剤およびネジを用いて固定する。パネル１０には、ブロック１４が接着されておらず基材が露出している未接着部分を設け、該未接着部分に接着するブロック１４を用意する。パネル１０を施工する壁面には、厚さ９ｍｍ以上の合板を下地として捨て張りし、パネル１０を該下地に接着剤を用いて接着する。その後、下地とパネル１０とを前記未接着部分でネジにより固定し、ネジ留めがなされた該未接着部分の上からブロック１４を接着剤で貼り付ける。接着剤とネジ等を用いることで、パネル１０を強固に壁に貼り付けることができる。また、ネジ留め部分にブロック１４を接着することで、ネジ留め部分を隠すことができる。パネル１０の接合部位では、ブロック１４が後退する側のパネル１０が壁面に固定された後に、ブロック１４が延出する側のパネル１０が接合されて壁面に固定される。実施例では、下側のパネル１０が壁に固定された後に上側のパネル１０が壁に固定される。
【００２０】
別実施例を、図５を参照して説明する。２枚のパネル１０を横方向に接合する場合、図５に示すように、一方のパネル１０の縦方向の一辺と、他方のパネル１０の縦方向の一辺とがいわゆる合決接合するように構成してもよい。この場合、パネル１０の接合部位となるパネル１０の縦方向の辺以外の構成は、上記実施例と同様の構成となっている。図５に示すように、２枚のパネル１０は縦方向の辺同士を対向させて、左右方向に接合される。パネル１０の接合部位となる縦方向の一辺は、基材１２から延出するブロック１４と基材１２から後退するブロック１４とが縦方向に交互に配置される。一方のパネル１０の縦方向の一辺は、基材１２から延出するブロック１４と基材１２から後退するブロック１４とが、他方のパネル１０とは互い違いに配置される。
【００２１】
２枚のパネル１０の接合部位における左右方向に隣り合う両ブロック１４は、一方のパネル１０の基材１２から延出するブロック１４の寸法と、一方のパネル１０の基材１２から後退するブロック１４の寸法とが等しく設定される。両パネル１０の基材１２を密着させて接合すると、一方のパネル１０の延出するブロック１４と他方のパネル１０の後退するブロック１４とが、ブロック１４の縦方向の面を密着させて接合される。パネル１０を横方向に接合する場合は、パネル１０を縦方向に接合する場合と同様の手順で、接着剤とネジ等により下地に固定すると共に、一方のパネル１０の基材１２から延出したブロック１４と、対応する他方のパネル１０の基材１２とを接着材で貼り合わせる。このように貼り合わせると、パネル１０と下地とが固定されるだけでなく、パネル１０同士を固定することができるため強度の向上が図られる。
【符号の説明】
【００２２】
１０  パネル、  １２  基材、  １４  ブロック
【図１】
2011256560.tif 000003
【図２】
2011256560.tif 000004
【図３】
2011256560.tif 000005
【図４】
2011256560.tif 000006
【図５】
2011256560.tif 000007